(57)【要約】      （修正有）【課題】多様なフィットネスの基本要求を満足でき、非常に実用的であり、かつ、取り外し及び交換が簡単で、使用しやすく、コストが低減し、広く普及しやすい多機能フィットネス器具を提供する。【解決手段】ナット取手１を備え、ナット取手の底部にライナー２が設けられており、ライナーがダンベル棒４にねじ接続されており、ダンベル棒にダンベルプレート３が設けられており、ダンベル棒の他端に支持ベースがねじ接続されている多機能フィットネス器具であって、機能が様々であり、ダンベル、ケトルベル、バーベル、プッシュアップバー及び派生した多種のフィットネス方法を合わせたものである。【選択図】図１
0003227363.tif 000002
【実用新案登録請求の範囲】
【請求項１】
ナット取手１を備え、前記ナット取手１の底部にライナー２が設けられており、前記ライナー２にダンベル棒４がねじ接続されており、前記ダンベル棒４にダンベルプレート３が設けられており、前記ダンベル棒４の他端に支持ベース５がねじ接続されていることを特徴とする、多機能フィットネス器具。
【請求項２】
前記取手１が弧形であることを特徴とする、請求項１に記載の多機能フィットネス器具。
【請求項３】
前記ライナー２がゴム材であることを特徴とする、請求項１に記載の多機能フィットネス器具。
【請求項４】
前記支持ベース５がＴ字形となり、支持ベース５にダンベル棒４に合わせるネジスルーホールが設けられていることを特徴とする、請求項１に記載の多機能フィットネス器具。
【請求項５】
前記ダンベル棒４の一端がフォーム棒８に脱着可能に連結され、前記フォーム棒８の両端がいずれもダンベル棒４にねじ接続され得ることを特徴とする、請求項１に記載の多機能フィットネス器具。
【考案の詳細な説明】
【技術分野】
【０００１】
本考案は、フィットネス器具設備の技術分野に関し、詳しくは多機能フィットネス器具に関する。
【背景技術】
【０００２】
現在、生活のリズムが速くなるにつれて、人々の仕事、学習によるストレスが高まっており、緊張する仕事、学習が人の心身の健康に影響する。仕事、学習の要求に適合できるために、フィットネスの重要性に気付き、様々のフィットネス器具も情勢に応じて現れている。しかし、ランニングマシン等のような従来のフィットネス器具の機能が単一であり、その上、長期間使用する場合、おもしろみもない。顧客が多種のフィットネス器具を購入すると、大幅のコストアップにつながる。
【考案の概要】
【０００３】
本考案が解決しようとする課題は従来技術のデメリットを克服し、多機能フィットネス器具を提供することである。
【０００４】
上記目的を実現するために、本考案は下記の技術的手段を提供する。ナット取手を備え、前記ナット取手の底部にライナーが設けられており、前記ライナーがダンベル棒にねじ接続されており、前記ダンベル棒にダンベルプレートが設けられており、前記ダンベル棒の他端に支持ベースがねじ接続されている多機能フィットネス器具。
【０００５】
好ましくは、前記取手が弧形である。
【０００６】
好ましくは、前記ライナーがゴム材である。
【０００７】
好ましくは、前記支持ベース５がＴ字形となり、かつ支持ベース５にダンベル棒４に合わせるネジスルーホール６が設けられている。
【０００８】
好ましくは、前記ダンベル棒の一端がフォーム棒に脱着可能に連結され、前記フォーム棒の両端がいずれもダンベル棒にねじ接続され得る。
【０００９】
従来技術に比べ、本考案の効果として、機能が様々であり、ダンベル、ケトルベル、バーベル、プッシュアップバー及び派生した多種のフィットネス方法を合わせたものであり、多様なフィットネスの基本要求を満足でき、非常に実用的であり、かつ、取り外し及び交換が簡単で、使用しやすく、コストが低減し、広く普及しやすい。
【図面の簡単な説明】
【００１０】
【図１】本考案の組立図である。
【図２】本考案に係る実施例のダンベルの概略構成図である。
【図３】本考案に係る実施例のケトルベルの組立図である。
【図４】本考案に係る実施例の第１のケトルベルの概略構成図である。
【図５】本考案に係る実施例の第２のケトルベルの概略構成図である。
【図６】本考案に係る実施例のバーベルの概略構成図である。
【考案を実施するための形態】
【００１１】
以下に本考案に係る実施例中の添付図面を参照しながら、本考案に係る実施例中の技術的手段を明確で完全に説明するが、明らかに、説明される実施例は本考案の一部の実施例に過ぎず、全部の実施例ではない。本考案中の実施例に基づき、当業者が創造的活動を行うことなく得られた全ての他の実施例は、何れも本考案の保護範囲に属する。
【００１２】
実施例１
図１及び図３を参照する。本考案が提供する実施例は、ナット取手１を備え、前記ナット取手１の底部にライナー２が設けられており、前記ライナー２にダンベル棒４がねじ接続されており、前記ダンベル棒４にダンベルプレート３が設けられており、前記ダンベル棒４の他端に支持ベース５がねじ接続されている多機能フィットネス器具である。
【００１３】
なかでも、ライナー２の付いたナット取手１が単独で用いられることで、プッシュアップバーとして用いることができる。
【００１４】
実施例２
図１〜図２を参照する。本考案が提供する実施例は、ナット取手１を備え、前記ナット取手１の底部にライナー２が設けられており、前記ライナー２にダンベル棒４がねじ接続されており、前記ダンベル棒４にダンベルプレート３が設けられており、前記ダンベル棒４の他端に支持ベース５がねじ接続されている多機能フィットネス器具である。
【００１５】
支持ベース５を外し、別のライナー２の付いたナット取手１をダンベル棒４の他端にねじ接続することで、ダンベル及びバーベルとして用いることができる。
【００１６】
実施例３
図３〜図５を参照する。本考案が提供する実施例は、ナット取手１を備え、前記ナット取手１の底部にライナー２が設けられており、前記ライナー２にダンベル棒４がねじ接続されており、前記ダンベル棒４にダンベルプレート３が設けられており、前記ダンベル棒４の他端に支持ベース５がねじ接続されており、前記支持ベース５がＴ字形となり、かつ支持ベース５にダンベル棒４に合わせるネジスルーホール６が設けられている多機能フィットネス器具である。
【００１７】
ナット取手１と、ダンベルプレート３と、ネジロッド７とを組み合わせて用いることで、第１種のケトルベルとして用いることができ、かつダンベルプレート３間に隙間がない。
【００１８】
実施例４
図３〜図５を参照する。本考案が提供する実施例は、ナット取手１を備え、前記ナット取手１の底部にライナー２が設けられており、前記ライナー２にダンベル棒４がねじ接続されており、前記ダンベル棒４にダンベルプレート３が設けられており、前記ダンベル棒４の他端に支持ベース５がねじ接続されており、前記支持ベース５がＴ字形となり、かつ支持ベース５にダンベル棒４に合わせるネジスルーホール６が設けられている多機能フィットネス器具である。
【００１９】
ナット取手１と、ダンベルプレート３と、ダンベル棒４とを組み合わせて用いることで、第２種のケトルベルとして用いることができ、かつダンベルプレート３間に隙間がある。
【００２０】
実施例５
図５〜図６を参照する。２つの図５の構造から、それぞれ、一端のナット取手１を取り除いた後、それぞれフォーム棒８の両端にねじ接続し、バーベルとして用いることができる。
【００２１】
本考案に係る多機能フィットネス器具は、機能が様々であり、ダンベル、ケトルベル、バーベル、プッシュアップバー及び派生した多種のフィットネス方法を合わせたものであり、多様なフィットネスの基本要求を満足でき、非常に実用的であり、かつ、取り外し及び交換が簡単で、使用しやすく、コストが低減し、広く普及しやすい。
【００２２】
当業者であれば、本考案が上記例示的な実施の形態の詳細に制限されるものではなく、本考案の趣旨又は基本特徴を逸脱することなく、他の具体的な形により本考案を実現できることが明らかになる。このため、どの点から見ても、実施例が例示的なものとされるべきであり、制限されるものではない。本考案の範囲は、前記説明ではなく、添付される特許請求の範囲により限定されるので、特許請求の範囲における同様な要件の意味及び範囲に入る全ての変化を本考案に含むことは意図している。特許請求の範囲における全ての添付図面の符号を関連する特許請求の範囲を制限するものと考えるべきではない。
【符号の説明】
【００２３】
１    取手
２    ライナー
３    ダンベルプレート
４    ダンベル棒
５    支持ベース
６    ネジスルーホール
７    ネジロッド
８    フォーム棒
【図１】
0003227363.tif 000003
【図２】
0003227363.tif 000004
【図３】
0003227363.tif 000005
【図４】
0003227363.tif 000006
【図５】
0003227363.tif 000007
【図６】
0003227363.tif 000008